(57)【要約】【課題】ユーザによる操作を必要とせずに、視認性良く、最新情報を得られる表示装置を備えた冷蔵庫を提供する。【解決手段】表示装置（２００）を備えた冷蔵庫であって、表示装置（２００）は、複数のアプリケーションを格納する記憶部（４０）と、複数のアプリケーションのウィンドウを同時に表示可能な表示部（３１）と、表示部（３１）のホーム画面に複数のアプリケーションのウィンドウを同時に表示させる制御部（２０）と、を有し、制御部（２０）は、所定条件に基づいて、複数のアプリケーションのうちの少なくとも１つのウィンドウのサイズ又は位置を変更して表示させる。【選択図】図３
2017133803.tif 000002
【特許請求の範囲】
【請求項１】
表示装置を備えた冷蔵庫であって、
前記表示装置は、
複数のアプリケーションを格納する記憶部と、
前記複数のアプリケーションのウィンドウを同時に表示可能な表示部と、
前記表示部のホーム画面に前記複数のアプリケーションのウィンドウを同時に表示させる制御部と、
を有し、
前記制御部は、所定条件に基づいて、前記複数のアプリケーションのうちの少なくとも１つのウィンドウのサイズ又は位置を変更して表示させる、冷蔵庫。
【請求項２】
前記表示装置は、前記冷蔵庫内の商品の賞味期限の情報を取得する入力部をさらに有し、
前記複数のアプリケーションのうちの１つは前記冷蔵庫内の商品を管理する第１のアプリケーションを含み、前記制御部は、前記入力部が取得した情報に基づいて、少なくとも前記第１のアプリケーションのウィンドウのサイズ又は位置を変更して表示させる、請求項１に記載の冷蔵庫。
【請求項３】
前記表示装置は、画像情報、音声情報、及び文字情報の少なくとも１つを入力する入力部をさらに有し、
前記複数のアプリケーションのうちの１つは前記画像情報、前記音声情報、及び前記文字情報の少なくとも１つを管理する第２のアプリケーションを含み、前記制御部は、前記入力部が取得した情報に基づいて、少なくとも前記第２のアプリケーションのウィンドウのサイズ又は位置を変更して表示させる、請求項１に記載の冷蔵庫。
【請求項４】
前記表示装置は、前記表示装置から所定範囲内の被写体を撮像する撮像部をさらに有し、
前記制御部は、前記撮像部の撮像結果に基づいて、前記ウィンドウのサイズ又は位置を変更して表示させる、請求項１に記載の冷蔵庫。
【請求項５】
冷蔵庫に備えられた表示装置の表示方法であって、
前記表示装置の表示部のホーム画面に、前記表示装置の記憶部に格納されている複数のアプリケーションのウィンドウを同時に表示させるステップを含み、
前記表示させるステップにおいて、所定条件に基づいて、前記複数のアプリケーションのうちの少なくとも１つのウィンドウのサイズ又は位置を変更して表示させる、表示方法。
【発明の詳細な説明】
【技術分野】
【０００１】
本発明は、表示装置を備えた冷蔵庫及び表示装置の表示方法に関する。
【背景技術】
【０００２】
ホーム画面に複数のアイコンと複数のキーを表示し、「リーセントキー」が長押しされると、最近使ったアプリケーションを履歴に基づいて自動で起動してマルチウィンドウモードで表示する電子機器が提案されている（例えば、特許文献１参照）。ウィジェットをホーム画面に表示することによって、ホーム画面上で最新情報を表示可能な携帯機器が提案されている（例えば、特許文献２参照）。
【先行技術文献】
【特許文献】
【０００３】
【特許文献１】特開２０１５−１２５５６７号公報
【特許文献２】特開２０１４−２２８８８４号公報
【発明の概要】
【発明が解決しようとする課題】
【０００４】
特許文献１に記載の電子機器では、最新の情報をすぐに、すなわちユーザによる操作無しに得ることができない。特許文献２の携帯機器では、ウィジェットにより最新の情報がホーム画面で得られるが、ウィジェットの大きさ及び位置は、最新情報の有無によらず一定であるため、視認性が良くない。
【０００５】
本発明は、ユーザによる操作を必要とせずに、視認性良く、最新情報を得られる表示装置を備えた冷蔵庫及び表示装置の表示方法を提供する。
【課題を解決するための手段】
【０００６】
本発明は、
表示装置を備えた冷蔵庫であって、
前記表示装置は、
複数のアプリケーションを格納する記憶部と、
前記複数のアプリケーションのウィンドウを同時に表示可能な表示部と、
前記表示部のホーム画面に前記複数のアプリケーションのウィンドウを同時に表示させる制御部と、
を有し、
前記制御部は、所定条件に基づいて、前記複数のアプリケーションのうちの少なくとも１つのウィンドウのサイズ又は位置を変更して表示させることを特徴とする。
【０００７】
本発明によれば、ホーム画面で、複数のアプリケーションがマルチウィンドウ表示されるため、ユーザによる操作を必要とせずに、最新の情報が得られると共に、所定条件に基づいて、ウィンドウのサイズ又は位置が変更して表示されるため、視認性に優れている。
【０００８】
本発明は、
前記表示装置が、前記冷蔵庫内の商品の賞味期限の情報を取得する入力部をさらに有し、
前記複数のアプリケーションのうちの１つが前記冷蔵庫内の商品を管理する第１のアプリケーションを含み、前記制御部は、前記入力部が取得した情報に基づいて、少なくとも前記第１のアプリケーションのウィンドウのサイズ又は位置を変更して表示させることを特徴とする。
【０００９】
本発明によれば、冷蔵庫内の商品を管理する第１のアプリケーションのウィンドウのサイズ又は位置が、冷蔵庫内の商品の賞味期限の情報に基づいて、変更して表示されるため、視認性に優れている。
【００１０】
本発明は、
前記表示装置が、画像情報、音声情報、及び文字情報の少なくとも１つを入力する入力部をさらに有し、
前記複数のアプリケーションのうちの１つは前記画像情報、前記音声情報、及び前記文字情報の少なくとも１つを管理する第２のアプリケーションを含み、前記制御部は、前記入力部が取得した情報に基づいて、少なくとも前記第２のアプリケーションのウィンドウのサイズ又は位置を変更して表示させることを特徴とする。
【００１１】
本発明によれば、音声情報、及び前記文字情報の少なくとも１つを管理する第２のアプリケーションのウィンドウのサイズ又は位置が、画像情報、音声情報、及び文字情報の少なくとも１つの情報に基づいて、変更して表示されるため、視認性に優れている。
【００１２】
本発明は、
前記表示装置が、前記表示装置から所定範囲内の被写体を撮像する撮像部をさらに有し、
前記制御部は、前記撮像部の撮像結果に基づいて、前記ウィンドウのサイズ又は位置を変更して表示させることを特徴とする。
【００１３】
本発明によれば、撮像された被写体に基づいて、ウィンドウのサイズ又は位置が変更して表示されるため、視認性に優れている。
【００１４】
本発明は、
冷蔵庫に備えられた表示装置の表示方法であって、
前記表示装置の表示部のホーム画面に、前記表示装置の記憶部に格納されている複数のアプリケーションのウィンドウを同時に表示させるステップを含み、
前記表示させるステップにおいて、所定条件に基づいて、前記複数のアプリケーションのうちの少なくとも１つのウィンドウのサイズ又は位置を変更して表示させることを特徴とする。
【００１５】
本発明によれば、ホーム画面で、複数のアプリケーションがマルチウィンドウ表示されるため、ユーザによる操作を必要とせずに、最新の情報が得られると共に、所定条件に基づいて、ウィンドウのサイズ又は位置が変更して表示されるため、視認性に優れている。
【発明の効果】
【００１６】
本発明によれば、ホーム画面で、複数のアプリケーションがマルチウィンドウ表示されるため、ユーザによる操作を必要とせずに、最新の情報が得られると共に、所定条件に基づいて、ウィンドウのサイズ又は位置が変更して表示されるため、視認性に優れている。
【図面の簡単な説明】
【００１７】
【図１】本発明の冷蔵庫全体の外形を示す斜視図である。
【図２】本発明の冷蔵庫のネットワーク環境を示す概略図である。
【図３】本発明の冷蔵庫が備える表示装置のブロック図である。
【図４】サーバが保有するデータベースの一例を示す図である。
【図５】本発明の表示装置の画面表示例を示す図である。
【図６】本発明の画面表示制御のフローチャートを示す図である。
【図７】本発明の変更前後の画面表示例を示す図である。
【図８】本発明の変更前後の画面表示例を示す図である。
【図９】本発明の変更前後の画面表示例を示す図である。
【図１０】本発明の変更前後の画面表示例を示す図である。
【発明を実施するための形態】
【００１８】
以下、本発明の実施形態について、図面を参照しながら説明する。本実施形態の冷蔵庫は表示装置を備え、所定条件に基づいて、アプリケーションのウィンドウのサイズ及び／又は位置を変更して、表示装置のホーム画面に、複数のアプリケーションのウィンドウを同時に表示する。これにより、ユーザによる操作を必要とせずに、視認性良く、最新の情報が表示装置のホーム画面上で得られる。
【００１９】
１．  冷蔵庫の構成
１．１  冷蔵庫の全体構成
図１は、本発明の１つの実施形態に係る冷蔵庫の外形を示す斜視図である。本実施形態に係る冷蔵庫１００は、冷蔵庫本体である筐体１と、筐体１に開閉自在に取り付けられた上扉２ａ及び下扉２ｂとを備える。筐体１の内部には、食品等の貯蔵室として、上段に冷蔵室と下段に冷凍室が配設されている。液晶ディスプレイ等の第１表示部３１ａ及び第２表示部３１ｂが、それぞれ、上扉２ａの前面及び下扉２ｂの前面に取り付けられる。第１表示部３１ａ及び第２表示部３１ｂの表面を覆うように、光透過性を有するガラス板等の透明前板４ａ、４ｂが上扉２ａ及び下扉２ｂの前面に設けられる。上扉２ａの前面の、第１表示部３１ａの上側に、ＣＣＤカメラ等の撮像部１１が取り付けられる。
【００２０】
１．２  冷蔵庫のネットワーク環境
図２は、本発明の冷蔵庫のネットワーク環境を示す概略図である。本実施形態の冷蔵庫１００は、インターネットなどのネットワークを介して、電子装置３００及びサーバ７００と通信する通信機能を有する。電子装置３００は、例えば、スマートフォン、タブレット、パーソナルコンピュータである。冷蔵庫１００は、例えば、Ｗｉ−Ｆｉなどの無線ＬＡＮを使用して、インターネットに接続して、画像情報、音声情報、及び文字情報などの各種情報の送受信を電子装置３００とサーバ７００との間で行う。サーバ７００は、冷蔵庫１００に収容された商品に関する庫内商品データベース（ＤＢ）７１ａ、画像情報と音声情報で構成される伝言メッセージに関する伝言メッセージデータベース（ＤＢ）７１ｂ、文字情報で構成されるメモに関するメモデータベース（ＤＢ）７１ｃ、文字情報で構成されるスケジュールを表すＴｏＤｏに関するＴｏＤｏデータベース（ＤＢ）７１ｄ、登録可能な商品のカテゴリ、賞味期限、及びカロリーなどの情報を含む登録商品マスタのデータベース（ＤＢ）７１ｅを有する。冷蔵庫１００は、筐体１に収容された商品の情報をサーバ７００にアップロードする。冷蔵庫１００は、筐体１に収容されている商品のリスト、伝言メッセージのリスト、メモのリスト、ＴｏＤｏのリストなどをサーバ７００から取得する。電子装置３００は、冷蔵庫１００と同様に、冷蔵庫１００に収容された商品の情報をサーバ７００にアップロードし、冷蔵庫１００に収容されている商品のリスト、伝言メッセージのリスト、メモのリスト、ＴｏＤｏのリストなどをサーバ７００から取得することができる。
【００２１】
１．３  冷蔵庫に備えられた表示装置の構成
図３は、本発明の冷蔵庫が備える表示装置のブロック図である。本実施形態の冷蔵庫１００は、図３に示す表示装置２００を有する。表示装置２００は、種々の情報を取得する入力部１０と、表示装置２００全体を制御する制御部２０と、入力部１０によって取得された情報と種々のアプリケーションを格納する記憶部４０と、記憶部４０に格納されている情報を出力する出力部３０とを有する。本実施形態の表示装置２００は、プラットフォームとしてＡｎｄｒｏｉｄ（登録商標）のような、小型の表示装置を有する小型の電子機器に用いるオペレーティングシステム（ＯＳ）を用いることができる。
【００２２】
表示装置２００は、入力部１０として、冷蔵庫１００の前方を撮像するための撮像部１１と、タッチパネル等の操作装置によって構成される文字入力部１２と、音声を入力するマイク等の音声入力部１３とを有する。文字入力部１２は、第１表示部３１ａ及び／又は第２表示部３１ｂに設けられたタッチパネルである。入力部１０は、スキャナを含んでも良い。撮像部１１は、ＣＣＤイメージセンサ、ＣＭＯＳイメージセンサ、又はＮＭＯＳイメージセンサなどの撮像素子を備えたカメラである。上扉２ａの前面に設けられた撮像部１１は、冷蔵庫１００に収容される食品に付いているバーコード、及び冷蔵庫１００の前方にいるユーザ等を撮像する。
【００２３】
制御部２０は、例えば、ＣＰＵとＲＡＭを同一パッケージに内蔵したマイクロコンピュータを主要部として構成される。制御部２０は、入力部１０から入力された情報及び記憶部４０に格納されている情報に基づいて、出力部３０に出力する情報を制御する。
【００２４】
記憶部４０は、ＲＡＭ、ＲＯＭ、ＥＥＰＲＯＭ、フラッシュメモリ、光ディスク、磁気ディスク、及び磁気テープ等の記録媒体で構成される。記憶部４０は、表示装置２００を制御する制御プログラムに加え、庫内商品管理アプリケーション４１ａ、伝言メッセージアプリケーション４１ｂ、メモアプリケーション４１ｃ、及びＴｏＤｏアプリケーション４１ｄなどを含む種々のアプリケーションを格納する。
【００２５】
庫内商品管理アプリケーション４１ａは、冷蔵庫１００に収容されている商品に関する情報、例えば商品名及び賞味期限を取得して管理するアプリケーションである。庫内商品管理アプリケーション４１ａを実行することにより、例えば、賞味期限が近づいている商品を表示部３１に表示し、冷蔵庫１００に新たに収容された商品を庫内商品ＤＢ７１ａに登録し、冷蔵庫１００から取り出された商品を庫内商品ＤＢ７１ａから削除することができる。伝言メッセージアプリケーション４１ｂは、画像情報と音声情報からなる伝言メッセージを取得し管理するアプリケーションである。伝言メッセージアプリケーション４１ｂを実行することにより、例えば、動画のメッセージを再生したり、削除することができる。メモアプリケーション４１ｃは、文字情報からなるテキストを取得して管理するアプリケーションである。メモアプリケーション４１ｃを実行することにより、例えば、メモのリストを表示したり、メモを削除することができる。ＴｏＤｏアプリケーション４１ｄは、文字情報からなるスケジュールであるＴｏＤｏを取得して管理するアプリケーションである。ＴｏＤｏアプリケーション４１ｄを実行することにより、例えば、ＴｏＤｏのリストを表示することができる。
【００２６】
記憶部４０は、入力部１０によって取得された、サーバ７００のデータベース７１ａ，７１ｂ，７１ｃ，７１ｄ，７１ｅに保有されている、冷蔵庫１００内の商品、伝言メッセージ、メモ、及びＴｏＤｏに関する情報の全部又はその一部を格納する。記憶部４０は、第１表示部３１ａ及び第２表示部３１ｂに表示される画面に関する情報を格納する。
【００２７】
表示装置２００は、入力部１０及び出力部３０として、インターネットと接続可能なルータ装置、例えばＷｉ−Ｆｉルータと無線通信する通信部１４と、周辺機器とコネクタを介してデータの送受信を行うＩ／Ｆ部（インターフェース）１５とを有する。
【００２８】
表示装置２００は、さらに、出力部３０として、表示部３１と、スピーカ等の音声出力部３２を有する。表示部３１は、上扉２ａの前面及び下扉２ｂの前面にそれぞれ取り付けられた第１表示部３１ａ及び第２表示部３１ｂにより構成される。第１表示部３１ａ及び第２表示部３１ｂは、各種の映像、文字、記号等を画像として表示可能なものであり、例えば、液晶、プラズマ及び有機エレクトロルミネンス等のディスプレイ装置を含む。
【００２９】
表示装置２００は、表示部３１に表示された画面に対し、入力部１０を介して、例えば、ジェスチャーによる操作や、スマートフォンなどの電子装置３００を使用したタッチ操作による操作を受け付ける。
【００３０】
表示装置２００の構成要素の全てが、冷蔵庫１００の上扉２ａ又は下扉２ｂに取り付けられても良いし、その一部が筐体１に取り付けられても良い。例えば、撮像部１１、文字入力部１２、音声入力部１３、表示部３１、音声出力部３２、及びＩ／Ｆ部１５が上扉２ａに設けられて、通信部１４、制御部２０、及び記憶部４０が一つの制御基板に設けられた状態で、その制御基板が筐体１に設けられても良い。上扉２ａの第１表示部３１ａの背面側に、その制御基板が設けられても良い。
【００３１】
２．  表示装置の動作
２．１  データベースへの新たな情報の登録
図４は、サーバ７００が保有する庫内商品ＤＢ７１ａ、伝言メッセージＤＢ７１ｂ、メモＤＢ７１ｃ、ＴｏｄｏＤＢ７１ｄの一例を示す図である。庫内商品ＤＢ７１ａは、商品名、カテゴリ、購入日又は入庫日、賞味期限、カロリー、及び画像を含む。伝言メッセージＤＢ７１ｂは、作成日、伝言メッセージ、及び作成者を含む。メモＤＢ７１ｃは、作成日、メモ、及び作成者を含む。ＴｏｄｏＤＢ７１ｄは、日程、内容、及び作成者を含む。
【００３２】
表示装置２００は、庫内商品管理アプリケーション４１ａを実行することによって、サーバ７００が保有している庫内商品ＤＢ７１ａに、商品の追加を行うことができる。例えば、冷蔵庫１００に新たに商品が収容されるときに、表示装置２００は、撮像部１１によってバーコードを読み込み、読み込んだバーコードの情報を通信部１４を介して、サーバ７００に送信する。サーバ７００はバーコードの情報に基づいて、登録商品マスタＤＢ７１ｅから商品情報を検索し、新たな商品の情報を庫内商品ＤＢ７１ａに追加する。バーコードの付いていない商品（例えば、野菜）については、撮像部１１によるジェスチャー操作、文字入力部１２を使用したタッチ操作、又は音声入力部１３による音声入力を使用して、商品カテゴリから商品名を選択し又は商品名を入力することができる。この場合、表示装置２００が、通信部１４を介して、商品名をサーバ７００に送信することによって、新たな商品の情報が庫内商品ＤＢ７１ａに追加される。新たに追加された商品の賞味期限は、登録商品マスタＤＢ７１ｅから取得しても良いし、制御部２０が、登録商品マスタＤＢ７１ｅから取得した賞味期限の情報に基づいて、新たに賞味期限を設定しても良い。ユーザが、文字入力部１２又は音声入力部１３を使用して、賞味期限を設定しても良い。新たに設定された賞味期限の情報は、庫内商品ＤＢ７１ａに追加される。
【００３３】
新たな伝言メッセージ、新たなメモ、及び新たなＴｏＤｏの作成は、伝言メッセージアプリケーション４１ｂ、メモアプリケーション４１ｃ、及びＴｏＤｏアプリケーション４１ｄをそれぞれ実行して、撮像部１１、文字入力部１２、及び音声入力部１３を使用して、行うことができる。表示装置２００を使用して生成された伝言メッセージ、メモ、及びＴｏＤｏは、それぞれ、サーバ７００の伝言メッセージＤＢ７１ｂ、メモＤＢ７１ｃ、及びＴｏｄｏＤＢ７１ｄに登録される。
【００３４】
表示装置２００が保有しているアプリケーション４１ａ，４１ｂ，４１ｃ，４１ｄと同等のアプリケーション、及び表示装置２００の入力部１０と同等の構成要素が、電子装置３００に備えられても良い。これにより、電子装置３００を使用して、冷蔵庫１に収容される商品のバーコードを読み込んで、読み込んだバーコードの情報を電子装置３００からサーバ７００に送信することができる。バーコードの付いていない商品（例えば、野菜）については、電子装置３００を使用して、商品名を入力し又は商品カテゴリから商品名を選択して、サーバ７００に商品名を送信することができる。さらに、ユーザは、電子装置３００を使用して、商品の賞味期限を設定することができる。電子装置３００を使用して、新たな伝言メッセージ、新たなメモ、及び新たなＴｏＤｏを作成し、サーバ７００に送信することができる。
【００３５】
２．２  ホーム画面の表示
図５は、本発明の表示装置の画面表示例を示す図である。表示装置２００の制御部２０は、記憶部４０に格納されているアプリケーションに基づいてホーム画面５００を生成する。ホーム画面５００とは、画面表示として複数のページが用意されている中で最も基本となる画面のことである。制御部２０は、第１表示部３１ａと第２表示部３１ｂの両方を一画面として、又はいずれか一方だけに、ホーム画面５００を表示させる。
【００３６】
ホーム画面５００は、記憶部４０に格納されているアプリケーションの一覧を含む。本実施形態において、各種アプリケーションは、ウィジェット５２０、ウィンドウ５１０、及びボタン５３０の形式で表示可能であって、ウィジェット５２０、ウィンドウ５１０、及びボタン５３０は、図５のホーム画面５００の例に示されているように、互いにオーバーラップしない状態で、タイル型のデザインで表示される。
【００３７】
ウィジェット５２０とは、ホーム画面５００に設置できるように小型化された単機能のアプリケーションであって、ホーム画面５００上で視認できる形で常に起動させておくことができるものである。例えば、日付及び時間を表示するウィジェット５２０が表示される。
【００３８】
ウィンドウ５１０とは、表示画面内にそれぞれ独立して用意された小さな矩形状の表示領域のことであって、アプリケーションを開いた状態で、その表示領域の中に画像や文書を表示するものである。本実施形態においては、ホーム画面５００上で、複数のアプリケーションを同時に起動した状態で、その複数のアプリケーションのウィンドウ５１０をマルチウィンドウ形式で同時に表示する。図５に示すように、本実施形態においては、制御部２０は、庫内商品管理アプリケーション４１ａに対応する「庫内まるみえ」ウィンドウ５１０ａ、伝言メッセージアプリケーション４１ｂに対応する「伝言メッセージ」ウィンドウ５１０ｂ、メモアプリケーション４１ｃに対応する「メモ」ウィンドウ５１０ｃ、Ｔｏｄｏアプリケーション４１ｄに対応する「Ｔｏｄｏ」ウィンドウ５１０ｄを同時に表示させる。このとき、例えば、制御部２０は、賞味期限が近づいている商品を「庫内まるみえ」ウィンドウ５１０ａに表示し、最も新しい伝言メッセージを「伝言メッセージ」ウィンドウ５１０ｂに表示し、最も新しいメモを「メモ」ウィンドウ５１０ｃに表示し、今日の予定を「Ｔｏｄｏ」ウィンドウ５１０ｄに表示する。
【００３９】
起動していないアプリケーションについては、矩形状オブジェクトであるボタン５３０の形式で表示される。
【００４０】
ホーム画面５００上で、ウィジェット５２０、ウィンドウ５１０、及びボタン５３０がユーザによって選択されると、制御部２０は、その選択に対応するアプリケーションの画面のみを、第１表示部３１ａと第２表示部３１ｂの両方又はいずれか一方の表示画面全体に表示させる。例えば、マルチウィンドウ形式で表示されているウィンドウ５１０ａ，５１０ｂ，５１０ｃ，５１０ｄのいずれかが選択されると、表示画面は、ホーム画面５００から、選択されたアプリケーションに対応する画面５４０ａ，５４０ｂ，５４０ｃ，５４０ｄに切り替わる。
【００４１】
２．３  ホーム画面の表示変更
図６は、本発明の画面表示制御のフローチャートを示す図である。図７〜図１０は、画面の表示例を示す図であって、（ａ）が変更前、（ｂ）が変更後を示す。表示装置２００は、電源が投入されている間、入力部１０を介して、サーバ７００に対して、冷蔵庫１００内の商品情報、伝言メッセージ、メモ、及びＴｏＤｏに関する情報を一定周期（例えば、５分毎）で要求し、取得する（ステップＳ６０１）。例えば、サーバ７００が保有している庫内商品ＤＢ７１ａ、伝言メッセージＤＢ７１ｂ、メモＤＢ７１ｃ、ＴｏｄｏＤＢ７１ｄにそれぞれ含まれる、冷蔵庫１００内の全商品のリスト、伝言メッセージのリスト、メモのリスト、及びＴｏＤｏのリストを取得する。制御部２０は、取得した情報を記憶部４０に格納する。サーバ７００から取得する商品情報には、例えば、少なくとも商品名と、購入日又は入庫日と、賞味期限の情報が含まれる。
【００４２】
制御部２０は、撮像部１１により、冷蔵庫１００から所定範囲内（例えば、１ｍ以内）で、ユーザである被写体が撮像されたかどうかを判断する（ステップＳ６０２）。被写体が撮像されていなければ（ステップＳ６０２でＮｏ）、冷蔵庫１００の近くに人がいないと判断して、ホーム画面５００の代わりに、スクリーンセーバを第１表示部３１ａ及び第２表示部３１ｂに表示する（ステップＳ６１４）。
【００４３】
被写体が撮像された場合（ステップＳ６０２でＹｅｓ）、制御部２０は、被写体の身長が高いかどうかを判断する（ステップＳ６０３）。例えば、被写体の顔の位置を検出することによって身長を測定し、その身長が１４０ｃｍ未満の場合は、身長が高くないと判断し（ステップＳ６０３でＮｏ）、ウィンドウ５１０の位置を変更する。例えば、図７に示されるように、ウィンドウ５１０が画面の下方に表示されるように、ウィジェット５２０、ウィンドウ５１０、及びボタン５３０の位置の上下を反転させる。これにより、身長が低い場合（子供など）でも、ウィンドウ５１０が見やすくなる。
【００４４】
制御部２０は、ステップＳ６０１で取得した商品情報に基づいて、賞味期限が近い商品が庫内にあるかどうかを判断する（ステップＳ６０５）。例えば、賞味期限が今日から２日以内の商品があれば、賞味期限が近い商品が庫内にあると判断し（ステップＳ６０５でＹｅｓ）、「庫内まるみえ」ウィンドウ５１０ａのサイズを変更する（ステップＳ６０６）。具体的には、「０」の場合にサイズを大きくするような変更をしない、「１」の場合にサイズを大きくするような変更をすることを示すフラグを各ウィンドウ５１０に対して設けておき、「庫内まるみえ」ウィンドウ５１０ａに対応するフラグを「０」から「１」に変更する。
【００４５】
制御部２０は、ステップＳ６０１で取得した伝言メッセージに関する情報に基づいて、新しい伝言メッセージがあるかどうかを判断する（ステップＳ６０７）。例えば、作成日が２４時間以内の伝言メッセージがあれば、新しいメッセージがあると判断し（ステップＳ６０７でＹｅｓ）、「伝言メッセージ」ウィンドウ５１０ｂのサイズを変更する（ステップＳ６０８）。具体的には、「伝言メッセージ」ウィンドウ５１０ｂに対応するフラグを「０」から「１」に変更する。
【００４６】
制御部２０は、ステップＳ６０１で取得したメモに関する情報に基づいて、新しいメモがあるかどうかを判断する（ステップＳ６０９）。例えば、作成日が２４時間以内のメモがあれば、新しいメモがあると判断し（ステップＳ６０９でＹｅｓ）、「メモ」ウィンドウ５１０ｃのサイズを変更する（ステップＳ６１０）。具体的には、「メモ」ウィンドウ５１０ｃに対応するフラグを「０」から「１」に変更する。
【００４７】
制御部２０は、ステップＳ６０１で取得したＴｏＤｏに関する情報に基づいて、今日の予定があるかどうかを判断する（ステップＳ６１１）。今日の予定があれば（ステップＳ６１１でＹｅｓ）、「Ｔｏｄｏ」ウィンドウ５１０ｄのサイズを変更する（ステップＳ６１２）。具体的には、「Ｔｏｄｏ」ウィンドウ５１０ｄに対応するフラグを「０」から「１」に変更する。
【００４８】
制御部２０は、第１表示部３１ａと第２表示部３１ｂの両方を使用して、又はいずれか一方に、ホーム画面５００を表示する（ステップＳ６１３）。このとき、サイズ変更を示すフラグに基づいて、ウィンドウ５１０のサイズを変更して表示する。例えば、身長が高いと判断し、且つ「庫内まるみえ」ウィンドウ５１０ａに対応するフラグのみが「１」になっている場合は、図８に示すように、ウィンドウ５１０、ウィジェット５２０、及びボタン５３０の位置はそのままで、「庫内まるみえ」ウィンドウ５１０ａのサイズのみを大きくし、互いにオーバーラップしないように、その他のウィンドウのサイズを小さくする。他の例として、身長が高いと判断し、且つ「伝言メッセージ」ウィンドウ５１０ｂと「メモ」ウィンドウ５１０ｃに対応するフラグが「１」になっている場合は、図９に示すように、ウィンドウ５１０、ウィジェット５２０、及びボタン５３０の位置はそのままで、「伝言メッセージ」ウィンドウ５１０ｂと「メモ」ウィンドウ５１０ｃのサイズを大きくし、その他のウィンドウのサイズを小さくする。さらに他の例として、身長が高くないと判断し、且つ「伝言メッセージ」ウィンドウ５１０ｂに対応するフラグのみが「１」になっている場合は、図１０に示すように、ウィジェット５２０の位置はそのままで、ウィンドウ５１０とボタン５３０の位置の上下を反転させ、且つ「伝言メッセージ」ウィンドウ５１０ｂのサイズのみを大きくする。
【００４９】
「１」を示すフラグの数が多い場合、「１」を示すフラグに対応するウィンドウ５１０の全てを拡大表示することはできないため、拡大表示可能なウィンドウ５１０の数を制限する。例えば、本実施形態において、ウィンドウ５１０の拡大表示は２つまでに制限する。拡大表示できない３つ目以降のウィンドウについては、操作を促すように、例えば点滅表示させる。このとき、拡大表示するウィンドウ５１０の優先順位を予め設定しておき、３つ以上のフラグが「１」を示す場合は、その優先順位に基づいて拡大表示するウィンドウ５１０を選択する。優先順位の設定は、ユーザが入力部１０を介して設定しても良いし、制御部２０が設定しても良い。制御部２０は、ステップＳ６０３における被写体の身長の結果に基づいて、拡大表示するウィンドウ５１０の優先順位を設定しても良い。例えば、身長が高いと判断した場合には、大人であると考えられるため、「庫内まるみえ」ウィンドウ５１０ａ、「Ｔｏｄｏ」ウィンドウ５１０ｄ、「メモ」ウィンドウ５１０ｃ、「伝言メッセージ」ウィンドウ５１０ｂの順に優先順位を設定し、身長が高くないと判断した場合には、子供であると考えられるため、「伝言メッセージ」ウィンドウ５１０ｂ、「メモ」ウィンドウ５１０ｃ、「Ｔｏｄｏ」ウィンドウ５１０ｄ、「庫内まるみえ」ウィンドウ５１０ａの順に優先順位を設定する。
【００５０】
少なくともサイズを大きくするように変更されたウィンドウ５１０については、最新情報を視認できるように表示する。例えば、ステップＳ６０６で「庫内まるみえ」ウィンドウ５１０ａが大きくされた場合は、制御部２０は、少なくとも、賞味期限が最も近づいている商品を「庫内まるみえ」ウィンドウ５１０ａに視認できるように表示する。同様に、ウィンドウ５１０ｂ，５１０ｃ，５１０ｄについては、制御部２０は、それぞれ、少なくとも、最も新しい伝言メッセージを「伝言メッセージ」ウィンドウ５１０ｂに表示し、最も新しいメモを「メモ」ウィンドウ５１０ｃに表示し、今日の予定を「Ｔｏｄｏ」ウィンドウ５１０ｄに、視認できるように表示する。このとき、ウィンドウ５１０のサイズに合わせて、ウィンドウ５１０内に表示される、商品、伝言メッセージ、メモ、今日の予定を拡大又は縮小して表示しても良い。ウィンドウ５１０のサイズが小さい場合は、商品、伝言メッセージ、メモ、及び今日の予定の一部しか見えない状態であっても良いし、全く見えない状態であっても良い。賞味期限が近づいている商品、最も新しい伝言メッセージ、最も新しいメモ、及び今日の予定だけでなく、冷蔵庫１００内の全商品のリスト、伝言メッセージのリスト、メモのリスト、及びＴｏＤｏのリストを、ウィンドウ５１０のサイズに合わせて、拡大縮小して表示しても良い。
【００５１】
３．まとめ
以上のように、本実施形態の冷蔵庫１００は表示装置２００を備え、所定条件（ステップＳ６０２，Ｓ６０３，Ｓ６０５，Ｓ６０７，Ｓ６０９，Ｓ６１１）に基づいて、アプリケーションのウィンドウ５１０のサイズ及び／又は位置を変更して、表示装置２００のホーム画面５００に、複数のアプリケーションのウィンドウ５１０を同時に表示する。これにより、ユーザによる操作を必要とせずに、視認性良く、最新の情報が表示装置２００のホーム画面５００上で得られる。
【００５２】
４．  変形例
なお、サイズの変更及び位置の変更は、ウィンドウ５１０、ウィジェット５２０、及びボタン５３０のいずれもが可能であっても良いし、ウィンドウ５１０、ウィジェット５２０、及びボタン５３０のうちのいずれかが変更不可であっても良い。例えば、上記実施形態においては、所定条件に基づいて、ホーム画面上のウィンドウ５１０のサイズを変更したが、ウィンドウ５１０に限らず、ウィジェット５２０及びボタン５３０のサイズを所定条件に基づいて変更しても良い。また、例えば、ステップＳ６０４におけるウィンドウ５１０の位置の変更において、ウィジェット５２０とボタン５３０の位置を変更せずに、ウィンドウ５１０の位置のみを変更しても良い。
【００５３】
上記実施形態においては、ホーム画面５００上に、ウィジェット５２０、ウィンドウ５１０、及びボタン５３０が表示される場合について説明したが、これらの全てがホーム画面５００上に表示されていなくても良い。例えば、賞味期限が近づいている商品、最も新しい伝言メッセージ、最も新しいメモ、及び今日の予定を、ウィンドウ５１０ではなく、ウィジェット５２０として表示しても良い。起動されていないアプリケーションに対応するボタン５３０は、ホーム画面５００とは別に用意した、アプリケーションの一覧を表示するためのメニュー画面で表示されるようにしても良い。
【００５４】
ウィジェット５２０、ウィンドウ５１０、及びボタン５３０のサイズ及び位置をユーザが入力部１０を介して設定しても良い。例えば、ユーザが特定のウィンドウ５１０の位置やサイズを固定できるようにしても良い。
【００５５】
上記実施形態においては、ウィジェット５２０、ウィンドウ５１０、及びボタン５３０が重ならないように配置されたが、それらの一部が重なるようにして配置されても良い。例えば、大きく表示したいウィンドウ５１０を、その他のウィンドウ５１０やウィジェット５２０及びボタン５３０の前面側に配置しても良い。大きく表示したいウィンドウ５１０の数が多い場合は、ユーザによって又は制御部２０によって予め設定された優先順位に基づいて、最前面に表示されるウィンドウ５１０を選択し、残りのウィンドウ５１０をその一部が見えるように、優先順位に従った順番で、ずらして表示しても良い。
【００５６】
上記実施形態の図６に示される所定条件（ステップＳ６０２、Ｓ６０３、Ｓ６０５、Ｓ６０７、Ｓ６０９、Ｓ６１１）は、単なる例であって、他の条件を適用することもできる。種々の条件に基づいて、ウィンドウ５１０のサイズと位置の両方を変更しても良いし、サイズだけを変更しても良いし、位置だけを変更しても良い。さらに、種々の条件に基づいて、ウィンドウ５１０の表示と非表示を切り替えても良い。
【産業上の利用可能性】
【００５７】
本発明によれば、視認性良く、最新の情報が得られる冷蔵庫を提供できるため、この種の冷蔵庫の製造産業分野において、好適に利用される可能性がある。
【符号の説明】
【００５８】
１        筐体
２ａ      上扉
２ｂ      下扉
４ａ，４ｂ  透明前板
１０      入力部
１１      撮像部
１２      文字入力部
１３      音声入力部
１４      通信部
１５      Ｉ／Ｆ部
２０      制御部
３１      表示部
３１ａ    第１表示部
３１ｂ    第２表示部
３２      音声出力部
４０      記憶部
４１ａ    庫内商品管理アプリケーション
４１ｂ    伝言メッセージアプリケーション
４１ｃ    メモアプリケーション
４１ｄ    ＴｏＤｏアプリケーション
７１ａ    庫内商品データベース
７１ｂ    伝言メッセージデータベース
７１ｃ    メモデータベース
７１ｄ    ＴｏＤｏデータベース
７１ｅ    登録商品マスタデータベース
１００    冷蔵庫
２００    表示装置
３００    電子装置
５００    ホーム画面
５１０，５１０ａ，５１０ｂ，５１０ｃ，５１０ｄ  ウィンドウ
５２０    ウィジェット
５３０    ボタン
７００    サーバ
【図１】
2017133803.tif 000003
【図２】
2017133803.tif 000004
【図３】
2017133803.tif 000005
【図４】
2017133803.tif 000006
【図５】
2017133803.tif 000007
【図６】
2017133803.tif 000008
【図７】
2017133803.tif 000009
【図８】
2017133803.tif 000010
【図９】
2017133803.tif 000011
【図１０】
2017133803.tif 000012